Podtech/llm-jp-corpus-v4-ja_patent huggingface dataset:
(57)【要約】【課題】  写真と手紙を一緒に郵送、または収納しやすくするための、アルバム便箋を提供する。【解決手段】  封筒兼用の便箋に、写真を入れる為のポケットを設けたことを特徴とするアルバム便箋。【選択図】図１
2009172989.tif 000002
【特許請求の範囲】
【請求項１】
封筒兼用の便箋に、写真を入れる為のポケットを設けたことを特徴とするアルバム便箋。
【発明の詳細な説明】
【技術分野】
【０００１】本発明は、手紙と写真を一緒に送れる、アルバム便箋に関するものである。
【背景技術】
【０００２】従来は、写真を送る際に封筒に手紙と写真を入れて送っていた。
【発明の開示】
【発明が解決しようとする課題】
【０００３】  そのために次のような問題点があった。
届いた写真はアルバムの中に、手紙は別の場所にと保管する為に２度手間がかかり、また、再度アルバムを見る時に、一緒に届いた手紙が直ぐに見られない。
本発明は、以上の問題点を解決するためになされたものである。
【課題を解決するための手段】
【０００４】  封筒兼用の便箋に、写真を入れる為のポケットを設ける。
以上を特徴とするアルバム便箋である。
【発明の効果】
【０００５】  便箋に写真入れポケットがついているので発送する際、写真を綺麗な状態で発送しやすい。また、届いた際は写真が綺麗にまとめられているので見易く、新たに収納する手間がはぶけ、そのまま写真アルバムとして使用出来、その時の思い出の手紙も一緒に保存出来るので、アルバムを後から見る時に、一緒に届いた手紙も読めるので、その時の思い出がより感じられる。
【発明を実施するための最良の形態】
【０００６】  以下、本発明の実施の形態について説明する。
（イ）紙の裏側に手紙を書く事が出来る便箋（１）部分を設け、紙を２つ折り（２）に折りたたみ、片面の淵部分に糊付けする耳（３）部分を設け、紙の表側の耳（３）部分を折りたたんだ淵部分に切り取り線（４）を設けた、封筒兼用の便箋（５）を、設ける。
（ロ）封筒兼用の便箋（５）の内側に写真入れポケット（６）を設ける。
本発明は以上のような構造で、これを使用するときは、封筒兼用の便箋（５）を開き、紙の裏側に設けた便箋（１）部分に手紙を書き、写真入れポケット（６）に写真（７）を納め、２つ折り（２）に折りたたみ、糊付けする耳（３）部分に、のりを付着させ、耳（３）部分を、折りたたみ便箋を密閉し封筒の形にして郵送する。
また、封筒兼用の便箋（５）を開封する際は、封筒の淵部分に設けた、切り取り線（４）に沿ってハサミ（８）で封筒を解体し開封する。
開封した後は、アルバムとして手紙と一緒に保存出来、アルバムとして使用出来る。
【実施例】
【０００７】（イ）紙の裏側に手紙を書く事が出来る便箋（１）部分を設け、紙を３つ折り（９）に折りたたみ、片面の淵部分に糊付けする耳（３）部分を設け、紙の表側の耳（３）部分を折りたたんだ淵部分に切り取り線（４）を設けた、封筒兼用の便箋（５）を、設ける。
（ロ）封筒兼用の便箋（５）の内側に写真入れポケット（６）を複数枚設ける。
本発明は以上のような構造で、これを使用するときは、封筒兼用の便箋（５）を開き、紙の裏側に設けた便箋（１）部分に手紙を書き、写真入れポケット（６）に写真（７）を納め、３つ折り（９）に折りたたみ、糊付けする耳（３）部分に、のりを付着させ、耳（３）部分を、折りたたみ便箋を密閉し封筒の形にして郵送する。
また、封筒兼用の便箋（５）を開封する際は、封筒の淵部分に設けた、切り取り線（４）に沿ってハサミ（８）で封筒を解体し開封する。
開封した後は、アルバムとして手紙と一緒に保存出来、アルバムとして使用出来る。
【図面の簡単な説明】
【０００８】
【図１】本発明の２つ折りの便箋を開いた状態を示す表側の斜視図
【図２】本発明の２つ折りの便箋を開いた状態を示す裏側の斜視図
【図３】本発明の３つ折りの便箋を開いた状態の示す表側の斜視図
【図４】本発明の３つ折りの便箋を開いた状態の示す裏側の斜視図
【図５】本発明の便箋を折りたたみ封筒にした状態を示す表側の斜視図
【図６】本発明の便箋を折りたたみ封筒にした状態を示す裏側の斜視図
【図７】本発明の封筒を開封する状態を示す斜視図
【符号の説明】
【０００８】    １  便箋
２  ２つ折り
３  耳
４  切り取り線
５  封筒兼用の便箋
６  写真入れポケット
７  写真
８  ハサミ
９  ３つ折り
【図１】
2009172989.tif 000003
【図２】
2009172989.tif 000004
【図３】
2009172989.tif 000005
【図４】
2009172989.tif 000006
【図５】
2009172989.tif 000007
【図６】
2009172989.tif 000008
【図７】
2009172989.tif 000009
(57)【要約】      （修正有）【課題】扇子をワンタッチで片手で簡単開けるようにする。【解決手段】扇子を開くには、上部の扇骨２を一旦斜め左上にずらす必要がある。一番上の扇骨２は下方に戻ろうとするのでネジリバネ６の力を利用し扇子を開く。ネジリバネ６の強さを調整することにより、ワンタッチで開いたり、閉じたままの状態を維持することが可能になる。【選択図】図２
2009172328.tif 000002
【特許請求の範囲】
【請求項１】
扇子をワンタッチで開けるようにしたことを特徴とする。
【発明の詳細な説明】
【技術分類】
【０００１】  本発明は、扇子に関するものであり、ワンタッチで開けるようにしたものである。
【背景技術】
【０００２】  従来から、扇子を綺麗に開くには、両手を使わなければならず、片手で簡単に開けるものは無かった。
【特許文献】  特に知らない。
【非特許文献】  特に知らない。
【発明の開示】
【発明が解決しようとする課題】
【０００３】  扇子を片手で簡単開けるようにする。
【課題を解決するための手段】
【０００４】  この課題を解決するための請求項１の発明は、ネジリバネの力を利用し扇子を開くことができる。
【発明の効果】
【０００５】  本発明により、扇子を開くことが楽になる。
【発明を実施するための最良の形態】
【０００６】  図１は、ワンタッチ扇子を開いた図である。従来の扇子と変わるところは無い。【０００７】  図２は、ワンタッチ扇子の柄の部分の構造を表した図である。【０００８】  図３は、閉じた状態の扇子を上から見た図である。図２のネジリバネの力が強すぎると、扇子は閉じたままの状態を保てず、開いてしまう。逆に弱すぎると、扇子は完全に開ききらない。ネジリバネの強さを調整することにより、ワンタッチで開いたり、閉じたままの状態を維持することが可能になる。【０００９】  図４は、図３の状態から扇子を開きかけた状態を表す面図である。扇子を開くには、本図上の上部の扇骨を一旦斜め左上にずらす必要がある。一番上の扇骨は下方に戻ろうとするので、図４の状態から右にずらせば、図３の状態に戻り扇子は閉じた状態のまま安定する。左にずらせば、ネジリバネ力により開こうとする。
【産業上の利用可能性】
【００１０】  本発明にワンタッチ扇子は、工業的に量産する事が可能であるため、産業上の利用可能性を有する。
【図面の簡単な説明】
【００１１】
【図１】  全体図である。
【図２】  柄の部分の分解図である。
【図３】  閉じた扇子を上から見た図である。
【図４】  図３の状態から扇子を開きかけた図である。
【符号の説明】
【００１２】  １      扇面
２      扇骨
３      要
４      ネジリバネを取り付ける溝
５      要を通す穴
６      ネジリバネ
７      ネジリバネを固定する穴
８      中差し骨
【図１】
2009172328.tif 000003
【図２】
2009172328.tif 000004
【図３】
2009172328.tif 000005
【図４】
2009172328.tif 000006
(57)【要約】【課題】  従来のスキーを行うには、携帯や置き場所に不便で湿ると乾きづらい特徴を持つ専用のスキー用手袋が必要とされ、レンタルセットにも含まれていないため、チョットのスキーを楽しむためにも、わざわざ購入しなくてはならないなどの不便さがあった。【解決手段】  横長の平面状シートを本体とし、前記本体の中央部から左右の端に至る上辺と下辺に仮留めを目的とする着脱部を設け前記本体の中央部をタテ折にし、前記左右の着脱部を仮留めすることで袋状を形成し、その袋状の開放口を手の出し入れ口とし、前記袋状下側の着脱部を留める際にストックのポール部を挟み込むように仮固定させ、前記袋状内部にストックのグリップ部全体が収まるようにすることができ、グリップを握る手が雪や風に直接当たらなくなることで、専用のスキー用手袋を使用しなくても済むため、気楽にスキーを楽しむことができる。【選択図】図１
2009172327.tif 000002
【特許請求の範囲】
【請求項１】
横長の平面状シートを本体とし、前記本体の中央部から左右の端に至る上辺と下辺に仮留めを目的とする着脱部を儲け前記本体の中央部をタテ折にし、前記左右の着脱部を仮留めすることで袋状を形成し、その袋状の開放口を手の出し入れ口とし、前記袋状下側の着脱部を留める際にストックのポール部を挟み込むように仮固定させ、前記袋状内部にストックのグリップ部全体が収まるようにしたストックのグリップ用ガード。
【発明の詳細な説明】
【技術分野】
【０００１】  本発明は、使用手袋の薄化を図ったストックのグリップ用ガードに関する。
【背景技術】
【０００２】  従来のスキー用品には、手袋の保温性を高めたものや通気性を工夫したものがある。
【発明の開示】
【発明が解決しようとする課題】
【０００３】  以上のように、手袋の機能の改善が主流であり、スキーへ行くには、どうしても専用のスキー用手袋を必要とした。【０００４】  スキー用手袋は、着けていると気にならないが、厚みがあり大きいため場所をとり、置き場所や持ち運びにも不便さを感じるし、身近なレンタルセットにも含まれていない。【０００５】  スキー用手袋は、雪などで濡れた場合や内部の汗で湿った場合、乾きにくい。【０００６】  本発明は、このような従来のスキー用手袋が有していた問題を解決しようとするものであり、スキー用手袋から開放されて、もっと気楽に楽しむことができるストックのグリップ用ガードを実現することを目的とするものである。
【課題を解決するための手段】
【０００７】  いろいろと考察した結果、本発明は上記目的を達成するために、あれこれと従来のように握る側の手袋を改善するのではなく、全く反対の握られる側のグリップに着目するようにした。そして、自転車のハンドルカバーにヒントを得ることでこの発明を完成させることが出来た。それは、撥水性、弾力性並びに復元性に優れた横長の平面状シートを本体とし、前記本体の中央部から左右の端に至る上辺と下辺に仮留めを目的とする着脱部を儲け前記本体の中央部をタテ折にし、前記左右の着脱部を仮留めすることで袋状を形成し、その袋状の開放口を手の出し入れ口とし、前記袋状下側の着脱部を留める際にストックのポール部を挟み込むように仮固定させ、前記袋状内部にストックのグリップ部全体が収まるようにしたものである。【０００８】  上記の課題解決手段による作用は次の通りである。すなわち、ストックのグリップ部全体が袋状に覆われているため、スキーを行う際に、手が寒風に直接さらされたり、雪などで濡れる心配が無い。
【発明の効果】
【０００９】  上述したように本発明のストックのグリップ用ガードは、スキーを行う際に専用のスキー用手袋を必要としない。薄くて軽いため持ち運びに便利で邪魔にならない。拳全体を包まれるため適度な保温性があり、全面を開くことが出来るため速乾性があり、一寸した遮冷座布団にもなる。外面にマークや広告を入れることで記念品や土産品、そして、レンタル品にも使用が可能となるため、気軽に手ぶらでスキーが楽しめるようになる。
【発明を実施するための最良の形態】
【００１０】  本発明を実施する際に、実施例の方法の他にも方法があることは言うまでもない。
以下、本発明の実施の形態を図１から図２に基づいて説明する。
【実施例】
【００１１】  図においては、１は発泡性ゴム状シートの本体を示す。【００１２】  ２は着脱部を示し、本体１の中央部を境目にして左側の上下にホック凸部２Ａを設け、右側の上下にホック凹部２Ｂを設ける。２Ｃはホックの外側である。【００１３】  ３はストックのグリップ部で、４はストックのポール部である。【００１４】  ５は開放口で、手の出し入れ口となる。【００１５】  以下、上記構成の動作を説明する。本体１の中央部を内側へタテ折にし、ストックのグリップ部３を包み込むようにホック凸部２Ａとホック凹部２Ｂを上側の中心部から端まで順に留めていく、次に、適当な位置でストックのポール部４を挟み込むように下側のホック凸部２Ａとホックの凹部２Ｂを同様に中心部から端まで順に留めていく、この一連の動作でストックのグリップ部３を包み込んだ状態で４辺のうち３辺が閉じられることで、残りの１辺が開放口５となり、ストックのグリップ部３を雪や風に直接当たることなく握るための手の出し入れ口となる。以上のように、本実施形態によれば専用のスキー用手袋を使用しなくてもスキーを楽しむことが得られるものである。
【産業上の利用可能性】
【００１６】  本体の側面を、スポンサー名やマークを入れる広告スペースとして活用すれば、新たな土産品や記念品となる。今まで手袋はスキー用品のレンタル品として不向きであったが、十分可能となるため、レンタルスキーの利用度が増す。微細ではあるが風の抵抗を抑える道具としてスキーのスピード競技等にも利用が可能である。
【図面の簡単な説明】
【００１７】
【図１】  本発明の実施形態を示す平面図
【図２】  本発明の実施形態を示す斜視図
【符号の説明】
【００１８】  １      本体
２Ａ      ホック凸部
２Ｂ      ホック凹部
２Ｃ      ホックの外側
３      ストックのグリップ部
４      ストックのポール部
５      開放口
【図１】
2009172327.tif 000003
【図２】
2009172327.tif 000004
(57)【要約】【課題】従来の、注ぐ時に蓋が落ちないようにしている蓋付容器の多くは、蓋の嵌合をきつくしたりして蓋の落下を防いでいるために、力を加えて蓋の脱着をしなければならず、或は手で特別な動作をしなければならず面倒であり、とりわけ力の弱いお年寄や体の不自由な方達には不便である。【解決手段】容器の注ぎ口とは反対側に、重力に因って作動する重力従属移動部１と、この重力従属移動部１と連動して蓋との距離を変化させる蓋押え部２を有する蓋脱落防止装置を設けた。こうする事により注ぐために容器を傾動させると、重力に因って重力従属移動部１が作動し、これに連動して蓋押え部２が蓋に接近し更には蓋を押さえつけて、蓋の離脱を防いでくれるので課題は解決出来る事となる。【選択図】図１
2009172322.tif 000002
【特許請求の範囲】
【請求項１】
容器の注ぎ口とは反対側へ、重力に従って一定方向へ移動する重力従属移動部１と、この重力従属移動部１に一端を回転可能な状態で連結され、他の一端を保持板４の開口部３に滑動可能状態で支持されながら、又は保持板４に枢支されながら、蓋との距離を変化させる蓋押え部２を有する蓋脱落防止装置を備えた蓋付容器であって、容器を注ぎ出し姿勢に傾動させると重力従属移動部１が作動し、これに連動されて蓋押え部２が蓋に接近し、そして更には蓋を直接、又は間接に押さえつけて蓋の離脱を阻止するようにしたもの。
【発明の詳細な説明】
【技術分野】
【０００１】  本発明は、注ぐ時に容器を傾けても蓋が落ちないようにした蓋付容器に関する。
【背景技術】
【０００２】  従来の、注ぐ時に蓋の落ちないようにした蓋付容器には、蓋の嵌合いを、きつくしたものが多くある。【０００３】  又、磁石の吸着力を利用したり、蓋に突起を設けたりして蓋の落下を防ぐものもある。【０００４】  更に、振り子式の支え具で蓋を保持する方式のもの等、色々ある。【０００５】
【実用新案文献１】
平０５−４４０１８
【実用新案文献２】
平０５−５６０２６
【実用新案文献３】
平１０−３０５２５２６号
【特許文献１】  平１１−５６６４０
【発明の開示】
【発明が解決しようとする課題】
【０００６】  解決しようとする問題点は、注ぐ時に容器を傾けても蓋の落ちないようにした従来の蓋付容器の多くが、蓋の嵌合いを、きつくしているために力を加えて蓋の脱着をしなければならず面倒であり、力の弱いお年寄りや体の不自由な方達には使いにくく不便である。【０００７】  それに磁石の吸着力で蓋を保持するものは、磁気の関係で容器の材質が制限され、また磁力で余分なものまで吸着する恐れもある。【０００８】  それから蓋の脱着に際し、突起部付の蓋を横に回したり或は斜めにしたり、特別な動作をして蓋を保持するのもあるが、これは直接に蓋を手で押さえる手間と余り変わらない。【０００９】  本発明は、この様な従来の蓋付容器が有している問題点を解決しようとするものであり、蓋の脱着に際しては余分な力を加える必要がなく、蓋の持ち上げ、持ち下げ以外に特別な動作をする必要もなく、注ぐ時に何もしなくても自然の力で蓋の落下が防げて、高齢の方や身体の不自由な方にも使い易くし、多くの家庭で毎日のように使われている蓋付き容器をもっと便利に使えるようにするために、なされたものである。
【課題を解決するための手段】
【００１０】  そして本発明は、上記目的を達成するため容器の注ぎ口とは反対側に、重力によって一定方向に移動する重力従属移動部１と、この重力従属移動部１と連動して蓋との距離が変化する蓋押さえ部２を有する蓋脱落防止装置を設けた。【００１１】  こうすることにより、注ぐために容器を傾けると重力に因って重力従属移動部１が作動し、これに連動して蓋押え部２が蓋に接近し更には蓋を、直接又は間接に押えつけて蓋の落下を防ぐので、蓋の脱着に際して特別な動作や余分な力が不要となる。
【発明の効果】
【００１２】  上述したように本発明の、蓋脱落防止装置を設けた蓋付容器は、蓋の嵌合いが、きつくないので蓋の脱着に余分な力は要らず、蓋の持ち上げ、持ち下げ以外の特別な動作も必要なく、注ぐ時に何もしなくても自然の力で蓋脱落防止装置が働いて蓋を押さえ落下を防いでくれるので便利であり、片手で簡単に取扱いができるので、力の弱いお年寄や体の不自由な方達に介護用としても使って頂くことができる。
【発明を実施するための最良の形態】
【００１３】  以下、本発明の実施の形態を図に基づいて説明する。【００１４】  蓋付容器の後ろ側の、注ぎ口とは反対側に、蓋脱落防止装置を装着している。（図１参照）【００１５】  この蓋脱落防止装置は、重力に従って一定方向に移動をする重力従属移動部１と、この重力従属移動部１と連動して蓋との距離が変化する蓋押え部２を有しており、容器を傾動させると重力に因って重力従属移動部１が作動し、これに連動して蓋押え部２が蓋に接近し更には、直接又間接に蓋を押さえつける構成にしている。（図２参照）【００１６】  こうする事により注ぐために容器を傾動させると、自然の力に因って蓋押え部２が前進し蓋を押さえつけて蓋の脱落を防ぐのである。（図２と図４参照）
【実施例１】
【００１７】  図３と図４に示すように蓋脱落防止装置の重力従属移動部１を、コロ式転動体にしても良く、そしてまた保持板４に設ける開口部３は複数あっても良く、或は、偏った位置に有っても良い。（図３と図４参照）
【実施例２】
【００１８】  図５と図６に示す様に、蓋押さえ部２は、両端を枢支しても良い。（図５と図６参照）
【図面の簡単な説明】
【００１９】
【図１】本発明の一部切欠した斜視図
【図２】容器を傾動させた時の一部切欠した側面図
【図３】実施例１による場合の、一部切欠した斜視図
【図４】実施例１による場合の、容器を傾動させた時の斜視図
【図５】実施例２による場合の、容器を傾動させた時の一部欠切した側面図
【図６】実施例２による場合の、容器を傾動させた時の斜視図
【符号の説明】
【００２０】１  重力従属移動部
２  蓋押え部
３  開口部
４  保持板
５  コロ式重力従属移動部
６  転動誘導枠板
７  枢支部
【図１】
2009172322.tif 000003
【図２】
2009172322.tif 000004
【図３】
2009172322.tif 000005
【図４】
2009172322.tif 000006
【図５】
2009172322.tif 000007
【図６】
2009172322.tif 000008
(57)【要約】      （修正有）【課題】何人とでも対戦可能で、しかも、コウのやりとりが消滅するので、老若男女が簡単に陣取りゲームに参加可能な囲碁。【解決手段】囲ってアタリをつけた者が取り上げた石のところに、すぐに自分の石（裏側）を埋めることにより、何人とでも対戦可能にする。しかも、コウのやりとりが消滅するので、老若男女が簡単に陣取りゲームに参加可能である。また、対戦する人数により、石の色や形を変えることにより多数の遊技者の参加が成立する。アタリで取った石は表と違う印（裏側）を入れることにより，取り上げた石の数が見た目ですぐ判別可能にする。【選択図】図２
2009172330.tif 000002
【特許請求の範囲】
【請求項１】
従来の囲碁は白・黒の石のため、対戦の相手は基本的には２人だったが石の色や形を変えることにより、何人とでも対戦できるし、組みを作って対戦も出来る  参照図  １
【請求項２】
このゲームは、従来の囲碁のルールとほとんど同じなのだが、囲ってアタリをつけた者が取り上げた石のところに、すぐに自分の石を埋めることにより成立する  参照図  ２
【請求項３】
対戦する相手の人数によって色石や形石で使用する  参照図  ３
【請求項４】
石は表と裏がある  参照図  ４
【請求項５】
石は  ○丸だけに限らない  参照図  ５
【請求項６】
碁盤は真四角に限らない  参照図  ６
【発明の詳細な説明】
2009172330.tif 000003
2009172330.tif 000004
【手続補正書】
【提出日】平成20年4月3日(2008.4.3)
【手続補正１】
【補正対象書類名】明細書
【補正対象項目名】全文
【補正方法】変更
【補正の内容】
【発明の詳細な説明】
【技術分野】
【０００１】本発明は、従来の囲碁のルールとほとんど同じなのですが、囲ってアタリをつけた者が取り上げた石のところに、すぐに自分の石（裏石）を置くことにより成立し、１つ取り上げたら１眼、２つ取り上げたら２眼で、そのつながりの石は生きるというゲーム。
【発明の開示】
【発明が解決しようとする課題】
【０００２】  従来の囲碁は、本来白黒の石で、対戦は２人でしかできないゲームだった。【０００３】  従来の碁盤は、四角形に限られている。【０００４】  従来の碁盤の線もほとんど決まっている。
【課題を解決するための手段】
【０００５】  従来の囲碁は、囲ってアタリをつけた者が取り上げた石のところは空白になったが、この本ゲームは即自分の石（裏石）を埋めることにより成立します。１つ取り上げた石を埋めると１眼とする。２つ取り上げた石を埋めると２眼になり、囲碁のルールと同じで、この石のつながっている石は、周りを囲まれても死にません。【０００６】  このゲームの特徴は、上述のルールと、石の色や形を変えることにより３人でも５人でもこのゲームに参加できることです。【０００７】  また、人数によって碁盤の形や線の数は自由に変えることが出来ます。
【図面の簡単な説明】
【０００８】
【図１】  （ア）３人で対戦するときの石と石の入れ物の例。（イ）５人で対戦するときの石と石の入れ物の例。
【図２】  ３人で対戦していて、次の１手で、赤か青の石の者のアタリで，黄の者の石は死に、右の図の場合は、赤の石の者の番として、黄の石のところに赤の裏石を埋める。
【図３】  （ア）３人で対戦する場合の形石の例。（イ）４人で対戦する場合の色石の例。（※テレビ等のゲーム機の場合ボタンスイッチで対戦）
【図４】  （ア）色石の表側と裏石の例。（イ）形石の表側と裏石の例。
【図５】  （ア）対戦人数により石の色を変える例。（イ）対戦人数により石の形を変える例。（ウ）石の形をキャラクターに変える例。
【図６】  （ア）（イ）（ウ）は、碁盤の変形の例。
【手続補正２】
【補正対象書類名】図面
【補正対象項目名】全図
【補正方法】変更
【補正の内容】
【図１】
2009172330.tif 000005
【図２】
2009172330.tif 000006
【図３】
2009172330.tif 000007
【図４】
2009172330.tif 000008
【図５】
2009172330.tif 000009
【図６】
2009172330.tif 000010
(57)【要約】      （修正有）【課題】現在の歯ブラシの毛は一本の棒であるため歯の汚れ（歯垢）を上から撫でるだけで落とせないから、虫歯になりやすい、これを解決する。【解決手段】歯ブラシの毛を改良、現在は、ブラシの毛は、一ヶ所の毛穴、直径１、５ｍｍに細い毛２５〜３０本埋めて作製してあります、この毛は、円いので歯の汚れ（歯垢）を撫でるだけで、汚れ（歯垢）が落ちにくい、そこで、毛穴に太めの毛を１〜２本にし、太いこの毛に切り込みを、四方、又、六方に毛の付け根から先の方向に向け切り込みを入れることで、入れたヵ所の先が跳ね返る、これに歯の汚れ（歯垢）が引っ掛かり、歯磨きすることで汚れ（歯垢）を落すことができる。なお、根元は太くても切り込みを入れるため、柔らかく歯になじむ。【選択図】図１
2009172344.tif 000002
【特許請求の範囲】
【請求項１】
歯ブラシの毛に、付け根から先に向いて切り込みを四方・又は、六方から入れことにより、（図２）入れた先が跳ね、それに歯の汚れ（歯垢）がひっかり落します。
【請求項２】
歯ブラシの毛は、１本の毛が太くても、切り込みが入るため、（図２）柔らかくなり歯になじみ、汚れ（歯垢）を落とす。
【請求項３】
ブラシ類、歯間ブラシ、洗車ブラシ等化繊で製造するブラシ全般とする。
【発明の詳細な説明】
【技術分野】
【０００１】  この発明は、現在の歯ブラシの毛は、１本の棒であるため、歯の汚れを上から撫でるだけで、汚れが落ちにくい、そこで、１本（毛）の棒を改良する。
【背景技術】
【０００２】  従来のハブラシの毛は、１本（毛）の棒である。
【発明の開示】
【発明が解決しようとする課題】
【０００３】  現在の歯ブラシには、次のような欠点がある。
歯ブラシの毛は１本（毛）の棒で上下左右して歯磨きしても汚れ（歯垢）の上を撫でるだけで汚（歯垢）れは落ちにくい。
【課題解決するための手段】
【０００４】  歯ブラシの毛を改良、現在は、ブラシの毛は、一ヶ所の毛穴、直径１、５ｍｍに細い毛２５〜３０本埋めて作製してあります、この毛は、円いので歯の汚れ（歯垢）を撫でるだけで、汚れ（歯垢）が落ちにくい、そこで、毛穴に太めの毛を１〜２本にし、太いこの毛に切り込みを、図２のように、四方、又、六方に毛の付け根から先の方向に向け切り込みを入れることで、入れたヵ所の先が跳ね返る、これに歯の汚れ（歯垢）が引っ掛かり、歯磨きすることで汚れ（歯垢）を落すことができる。
なお、根元は太くても切り込みを入れるため、柔らかく歯になじむ。
【発明の効果】
【０００５】  発明の改良歯ブラシは、先までの間に下向に、切り込みが入り、そのため、ひつかかりが出来る、これで歯の汚れ（歯垢）を引っかけ落とすことができる。
【図面の簡単な説明】
【図１】  歯ブラシに切り込み入り完成図
【図２】  歯ブラシの毛１本に切り込みを入れた図
【図３】  歯ブラシが歯になじみ、こすって汚れ（歯垢）が落ちている図
【図１】
2009172344.tif 000003
【図２】
2009172344.tif 000004
【図３】
2009172344.tif 000005
(57)【要約】【課題】本発明は、数字選択式くじ券及び申込カードが収納できるカードホルダーである。くじ券を複数枚購入した場合、通常の保護袋では先頭のものしか確認できず、どの申込カードで購入したのか見分けがつかなくなることが多いため、それらを連携して把握・管理できるよう忘備録機能付きのカードホルダーを提供する。【解決手段】数字選択式くじの申込カード及び複数の当該くじ券が見開き状態で確認できるようカードポケットを設ける。カードポケットの片側に数字選択式くじの申込カードを収納する。反対側には複数の段に分けて、数字選択式くじ券を収納する。申込カードを収納する面の一部に忘備録としてコメントを書き込む欄を設ける。【選択図】図４
2009172341.tif 000002
【特許請求の範囲】
【請求項１】
数字選択式くじの申込カード及び複数の当該くじ券が互いに隠れることなく見開き状態で確認でき、片側に申込カードを収納し、反対側には複数の段に分けて、数字選択式くじ券が収納できるカードホルダー。
【請求項２】
請求項１の一部に忘備録としてコメントを書き込む欄を設けたカードホルダー。
【発明の詳細な説明】
【技術分野】
【０００１】  本発明は、数字選択式くじの申込カード及び複数の当該くじ券が互いに隠れることなく見開き状態で確認でき、忘備録としてコメントを書き込む欄を有するカードホルダーに関するものである。
【技術背景】
【０００２】  従来、数字選択式くじ券及び申込カードを収納する保護袋には、複数枚を収納すると、くじ券及び申込カード同士が重なってしまい、先頭のものしか見ることができなかった。また、従来の保護袋には、自身にコメントを書き込める機能を有するものはなかった。
【発明の開示】
【発明が解決しようとする課題】
【０００３】  数字選択式くじ券及び申込カードを複数枚、保護袋に収納すると、先頭のものしか確認することができず、不便であった。また、どの申込カードでくじ券を購入したのか見分けがつかなくなる場合が多く、以前と同じものを購入する際、再度申込カードを記入しなければならないと言った手間があった。くじ券及び申込カードが複数枚ある場合、それらを区別・分類するためのコメントを直接、くじ券及び申込カードに書くことができす、購入したくじ券と申込カードを連携して把握・管理するのは非常に面倒であった。
本発明は、以上の問題点を解決するためになされたものである。
【課題を解決するための手段】
【０００４】  数字選択式くじの申込カード及び複数の当該くじ券が見開き状態で確認できるようカードポケットを設ける。カードポケットの片側に数字選択式くじの申込カードを収納する。反対側には複数の段に分けて、数字選択式くじ券を収納する。申込カードを収納する面の一部に忘備録としてコメントを書き込む欄を設ける。
本発明は、以上の構成よりなる数字選択式くじ券及び申込カードを収納するカードホルダーである。
【発明の効果】
【０００５】  本発明により、数字選択式くじ券及び申込カードが互いに隠れることなく、見開き状態で確認することができるようになり、くじ券及び申込カードの把握・管理が容易になる。また、忘備録として設けられたコメント欄に情報を記入することにより、後日、同一内容のくじ券を購入する際、再度申込カードを記入する手間が省け、くじ券及び申込カードの区別・分類も容易になる。これにより、購入したくじ券と申込カードを連携して把握・管理することが面倒でなくなる。
【発明を実施するための最良の形態】
【０００６】  以下、本発明の実施の形態を説明する。
（イ）保護カバー（１）の内側に、くじ券及び申込カードが収納できるカードポケット（２）を数ページ分、設ける。
（ロ）カードポケット（２）は、くじ券及び申込カードが収納できるように切り込み（３）を設けて、袋状とする。
（ハ）カードポケット（２）の片側半分には数字選択式くじの申込カード（４）を収納するスペースを設ける。
（ニ）反対側には、カードポケットに仕切り（５）を設けて複数の段に分け、それぞれに数字選択式くじ券（６）を収納するスペースを設ける。
（ホ）申込カード（４）を収納する側のカードポケット（２）の一部（上下）にラベルを貼り付け、コメント書き込み欄（７）を設ける。
（ヘ）申込カードを収納するページ（図２）の裏面は、くじ券を収納するページ（図３）とする。
（ト）くじ券を収納するページ（図３）の裏面は、申込カードを収納するページ（図２）とする。
（チ）保護カバー（１）は、防水性があり、ある程度丈夫な素材（ポリプロピレンなどのプラスチック素材）とし、またカードポケット（２）は、収納した中身が見えるよう、透明な素材（ポリプロピレンなどのプラスチック素材）とする。
（リ）コメント書き込み欄（７）の素材は、表面が紙で裏面がシールになっているラベルとする。
本発明は以上の構成よりなる。
本発明を使用する場合は、カードホルダー本体を開いて、見開き状態にし、くじ券（６）及び申込カード（４）を該当するカードポケット（２）にスライドして収納する。また、使用者が残したい情報（コメント）をコメント書き込み欄（７）に記入する。カードポケット（２）にある程度、くじ券（６）及び申込カード（４）を収納したら、ページをめくって、次のカードポケット（２）にくじ券（６）及び申込カード（４）を収納することができる。カードホルダーを使用しないときは、折り畳むことができる。（図５）カードポケット（２）に貼り付けるラベルは、くじ券を収納する側に設けてもよい。
【実施例１】
【０００７】    図１に示すようにカードホルダーの任意のページを開いて、見開き状態にし、くじ券（６）及び申込カード（４）をそれぞれのカードポケット（２）にスライドして収納する。その際、コメント書き込み欄（７）に、くじ券の抽選日、購入年月日、購入した場所、くじ券の番号を選択した動機などその他使用者が残したい情報（コメント）を自由に記入する。このとき、鉛筆やシャープペンシルで記入すると、書き込んだ情報（コメント）を後から編集できる。くじ券（６）及び申込カード（４）がいらなくなれば、カードポケット（２）から抜き取り、書き込んだ情報（コメント）を消去することで、新たにくじ券（６）及び申込カード（４）を収納するスペースを確保できる。
【図面の簡単な説明】
【０００８】
【図１】本発明の見開き状態での平面図
【図２】本発明の申込カード収納部分の正面図（表面）
【図３】本発明のくじ券収納部分の正面図（裏面）
【図４】本発明の見開き状態での斜視図（全体図）
【図５】本発明の閉じた状態での斜視図（全体図）
【符号の説明】
【０００９】  （１）保護カバー、（２）カードポケット、（３）カードポケットの切り込み、（４）数字選択式くじの申込カード、（５）カードポケットの仕切り、（６）数字選択式くじ券、（７）コメント書き込み欄
【図１】
2009172341.tif 000003
【図２】
2009172341.tif 000004
【図３】
2009172341.tif 000005
【図４】
2009172341.tif 000006
【図５】
2009172341.tif 000007
(57)【要約】【課題】一人でピッチング練習ができる袋を提供する。【解決手段】幅３０ｃｍで腕の長さ程度の袋の開口部にマジックテープと紐を設け、紐を通し、ボールを握ったまま手首まで入れるように構成した一人ピッチング用袋。【選択図】図１
2009172346.tif 000002
【特許請求の範囲】
【請求項１】
幅３０ｃｍで、腕の長さ程度の袋の開口部にマジックテープと紐を設け、紐を通し、ボールを握ったまま手首まで入れるように構成した一人ピッチング用袋。
【発明の詳細な説明】
【技術分類】
【０００１】  本発明はピッチング練習、又は肩のトレーニング用袋に関するものである。
【背景技術】
【０００２】  従来、ピッチング練習をしようと思えば、自分と相手が必要であった。もしくは、壁にぶつけるか、ネットにぶつける方法があった。
【発明の開示】
【発明が解決しようとする課題】
【０００３】  そのために、次のような問題点があった。（イ）相手が居ないとできない。（ロ）壁やネットがないとできない。（ハ）音がうるさいのでできない。本発明は、これらの問題点を解決するためになされたものである。
【課題を解決するための手段】
【０００４】  幅３０ｃｍで腕の長さ程度の袋の開口部にマジックテープと紐を設け、紐を通し、ボールを握ったまま手首まで入れるように構成した一人ピッチング用袋。
【発明の効果】
【０００５】  本発明は一人でピッチング練習ができ、室内でも肩のトレーニングに、試合前のウォーミングアップに、ボールを握って投げられるので、実際に相手に投げるように体感できる。
【発明を実施するために最良の形態】
【０００６】（イ）袋の開口部（１）にマジックテープ（３）を設ける。  同じく開口部に紐（２）を通して巾着袋状に、しぼれるようにする。本発明は以上のような構成で、これを使用するときは、（ロ）ボールを握ったまま、開口部（１）より、手首まで入れる。  次に（２）の紐を締め、巾着状にする。次にマジックテープ（３）で留める。（ハ）以上、袋を振りかぶり、相手が居るかのごとく、思い切って投げる。するとボールは（５）の袋底で止まる。音も小さく、投球練習をしても、周りの邪魔にならない。
【図面の簡単な説明】
【０００７】
【図１】本発明の側面図
【図２】本発明の投球直前図
【図３】本発明の投球直後図
【符号の説明】
【０００８】  １  開口部  ２  紐  ３  マジックテープ  ４  袋  ５  袋底  ６  ボール
【図１】
2009172346.tif 000003
【図２】
2009172346.tif 000004
【図３】
2009172346.tif 000005
(57)【要約】      （修正有）【課題】歯肉に不必要な刺激を与えずに、歯の汚れを、すみずみまで取りやすくし、特に、要介護者や、寝たきり状態の人の歯の汚れを取りやすくする、歯磨き用具を提供する。【解決手段】柔軟な手袋２、又は指サックの指先部に、刷毛の部分１を設ける。これを、手、又は指に着けて使用するが、この歯磨き用具の柔軟さと、手指の関節の曲げ伸ばしにより、歯の汚れを取りやすくする。【選択図】図１
2009172343.tif 000002
【特許請求の範囲】
【請求項１】
柔軟な手袋（２）の指の部分に、刷毛の部分（１）を設けた歯磨き用具
【請求項２】
請求項１において、刷毛の部分（１）に代えて、取り付け及び取り外しができる刷毛の部分品（４）を付けた歯磨き用具
【請求項３】
柔軟な指サック（３）に、刷毛の部分（１）を設けた歯磨き用具
【請求項４】
請求項３において、刷毛の部分（１）に代えて、取り付け及び取り外しができる刷毛の部分品（４）を付けた歯磨き用具
【発明の詳細な説明】
【技術分野】
【０００１】  この発明は、歯の汚れを、すみずみまで取りやすくするものであるが、特に要介護者や寝たきり状態の人の、歯の汚れを取りやすくする歯磨き用具に関するものである。
【背景技術】
【０００２】  従来の歯ブラシは、硬い柄を動かして歯を磨くが、柄は口や、ほほ等に当たり、動きに制約を受ける。このために、歯の位置によっては、刷毛の部分（１）が、歯の表面の凹凸に、適切に接しなくて十分に汚れを除去できない箇所がある。
要介護者や、寝たきり状態の人の歯の汚れも取りにくい。
【発明の開示】
【発明が解決しようとする課題】
【０００３】  硬い棒状の柄を動かして、その先端にある刷毛の部分（１）で、歯の汚れを十分に取り除くのは、特に奥の方の歯の裏側など、歯の位置によっては無理がある。
この発明は、刷毛の部分（１）を自分の思うように動かして、不必要な強い刺激を歯肉に与えることなく、歯の汚れを取り除こうとするものである。
【課題を解決するための手段】
【０００４】  刷毛の部分（１）を、柔軟な手袋（２）の指先部や、指サック（３）に設ける。又は、刷毛の部分（１）に代えて、取り付け及び取り外しができる刷毛の部分品（４）を使ってもよい。この発明は以上の構成よりなる歯磨き用具である。
【発明の効果】
【０００５】  柔軟な手袋（２）、及び指サック（３）に設けた刷毛の部分（１）は、人の指先は柔らかいこともあり、歯に適切に接して使用者の思い通りに扱いやすい。
歯肉に無用な痛みを与えず、歯と歯の間や、歯と歯肉との境目など、歯のすみずみまで、食べかすや汚れを除去しやすい。
磨く箇所の凹凸が、指先の感覚で、分かるので磨く操作がしやすい。
口の中に傷のある場合でも、比較的に支障なく磨ける。
指の関節を、曲げ伸ばしすることにより、どの歯でも、すみずみまで磨きやすい。
【発明を実施するための最良の形態】
【０００６】  柔軟な手袋（２）、又は指サック（３）の先端部辺に刷毛の部分（１）を設けたものである。しかし、刷毛の部分（１）については、これに代えて、取り付け取り外しが、容易にできるように、マジックテープ等と、呼ばれている種類のものを、底部に設けた刷毛の部分品（４）を使ってもよい。
この発明の構造は以上である。
この歯磨き用具を使用するときは、柔軟な手袋（２）、又は指サック（３）を、使用者が、自分の指に着けて行うが指先の感覚により、磨く強さ加減と操作が行いやすい。
【図面の簡単な説明】
【０００７】
【図１】  本発明の、請求項１の斜視図
【図２】  本発明の、請求項３の斜視図
【図３】  取り付け及び取り外しができる刷毛の部分品（４）の斜視図
【符号の説明】
【０００８】  １  刷毛の部分
２  柔軟な手袋
３  柔軟な指サック
４  取り付け及び取り外しができる刷毛の部分品
【図１】
2009172343.tif 000003
【図２】
2009172343.tif 000004
【図３】
2009172343.tif 000005
(57)【要約】【課題】  パイナップルの芯と皮を一度に簡単に取り除くことのできるパイナップルカッターを提供する。【解決手段】  パイナップルの葉のついた上部と下部を切り落とし円筒形になったものをまな板上に立てた状態で、芯を中心として、カッターの内刃を芯に合わせて刃面をパイナップル上に置き、左右の取っ手を握り、両手で下におろすことにより、芯と皮を一度に取り除き、半円形の状態にパイナップルを切ることのできるパイナップルカッター。【選択図】図１
2009172334.tif 000002
【特許請求の範囲】
【請求項１】
パイナップルの葉のついた上部と下部を切り落とし円筒形になったものをまな板上に立てた状態で、芯を中心として、カッターの内刃を芯に合わせて刃面をパイナップル上に置き、左右の取っ手を握り、両手で下におろすことにより、芯と皮を一度に取り除き、半円形の状態にパイナップルを切ることのできるパイナップルカッター。
【発明の詳細な説明】
【技術分野】
【０００１】  本発明は、葉のついた上部と下部を切り落とした円筒形のパイナップルをまな板上に立て、芯の部分にカッターの内刃を合わせ、両手で取っ手を握り、それを下げることによりパイナップルの皮と芯を一度に取り除くことのできるパイナップルカッターに関するものである。
【背景技術】
【０００２】  従来、パイナップルは皮が硬く、芯もあり、なかなか簡単に果肉をむくことができなかった。
【発明の開示】
【発明が解決しようとする課題】
【０００３】  そのために、次のような問題があった。
皮が硬いため、むくのはなかなか不便で、芯を取り除くのも面倒であった。
本発明は以上の問題点を解決しようとするものである。
【課題を解決するための手段】
【０００４】  パイナップルの葉のついた上部と下部を切り落とし円筒形になったものをまな板上に立てた状態で、芯を中心として、カッターの内刃を芯に合わせて刃面をパイナップル上に置き、左右の取っ手を握り、両手で下におろすことにより、芯と皮を一度に取り除き、半円形の状態にパイナップルを切ることのできるパイナップルカッターである。
【発明の効果】
【０００５】  本発明はパイナップルの皮と芯を簡単に一度で安全に取り除くことができるので、包丁による怪我の心配もない。
【発明を実施するための最良の形態】
【０００６】  以下、本発明の実施の形態を説明する。
（イ）  パイナップルの芯の直径と同様の大きさの輪になった内刃（１）の左右方向に          伸びる状態に直線の刃（２）をつける。
（ロ）  パイナップルの皮より内側にさきの中心の刃（２）と同心円の輪になった外刃          （３）を左右に伸びた直線の刃（２）と交差して取り付ける。
（ハ）  伸びた左右の直線の刃（２）の両端に取っ手（４）をつける。
本発明は以上の構成よりなっている。
本発明を使用するときは、葉のついた上部と下部を切り落とした円柱状のパイナップル（５）をまな板上に立て、芯（６）にカッターの内刃（１）を合わせ、取っ手（４）を握り、それを下に押し下げることにより、皮と芯を一度に取り除くことができる。
【図面の簡単な説明】
【０００７】
【図１】    本発明の正面図
【図２】    本発明の斜視図
【図３】    本発明の使用状態を示す斜視図
【符号の説明】
【０００８】    １  内刃
２  直刀刃
３  外刃
４  取っ手
５  パイナップル
６  芯
【図１】
2009172334.tif 000003
【図２】
2009172334.tif 000004
【図３】
2009172334.tif 000005
(57)【要約】【課題】室内掃除に用いる電気掃除機に変わる手箒の電気を使用せず、埃を立てず、隅々まで手軽に清掃する事の出来る、家庭用エコ箒を提供する【解決手段】電動式掃除機に頼らず、昔からある手箒の、長所、短所を考え、埃を立てる不衛生さの欠点を無くし、素材をウレタン樹脂とし適度の柔軟性を活かし、その強度と、同一の細さを持つ円筒形・棒状の、多数集合させた物で、箒の穂先として使用する事を特徴とする家庭用エコ箒【選択図】図１
2009172339.tif 000002
【特許請求の範囲】
【請求項１】
電気を使用せず、昔からある手箒の長所、短所を考えて作られ、手箒の先端の素材をウレタン樹脂にし、柔軟度を４０〜５０度で、有用セラミックスを配合し、１．５ｍｍ．〜２ｍｍ．の細い円筒形・棒状のもの多数、全てが綺麗に揃った集合体であり、箒の穂先がすべすべした素材で、適度の柔軟度ある為に、埃を巻き上げる事無く、軽く、早く、手軽に、隅々まで、掃除出来る事を特徴とする新規性に富んだ家庭用エコ箒
【発明の詳細な説明】
【技術分野】
【０００１】本発明は、家庭で多くの家具に囲まれて生活している事の多い場所や、狭い隙間にも、その柔軟で細く揃ったウレタンの、すべすべした穂先はゴミを隅々まで掃き集め、埃を巻き上げる事なく掃除する事の出来る、家庭用エコ箒に関する物である。
【背景技術】
【０００２】従来、電気掃除機や電気モップを使用したとき、隅々の狭い隙間などまで行き届かず、機種の先端部を取り替えて清掃しなければならなかった、家具の多い室内は、忙しい人々や老人・子供には、使用が容易でなかった、従来の棕櫚箒や草箒を使用すれば、埃を舞い上げてしまい、衛生上問題が有った
【発明の開示】
【発明が解決しようとする課題】
【０００３】  そのために、次のような問題点があった。
（イ）掃除機を使用するには電気コンセントに接続しなければならず、場所により届かないと差し替えたりしなければならず、家庭内は家具も多く、掃除機に捩り回されてしまう
（ロ）時により家具などの隙間や狭く入り組んだ所などは、思うようにきれいに掃除する事ができず、掃除機の先を細い物に変えなければならず困難であった
（ハ）昔から使われている棕櫚箒や草箒を使用すると、埃が舞い上がり、気持ちよい掃除が出来ず、不衛生であった
【問題を解決するための手段】
【０００４】  電気を使用せず、昔からある棕櫚箒や草箒の長所、短所を考え、手箒の穂先の素材を、丈夫なウレタン樹脂に変え、柔軟度を４０〜５０度とし、有用セラミックスを配合し、消臭性、抗菌性を高め、１．５ｍｍ．〜２ｍｍ．の細い円筒形・棒状のすべすべした材質で、多数集合体に揃えた穂先は、細かいゴミまで集められ、柔らかい弾力度で箒の先はゴミを舞い上がらせる事無く、埃も立たず、箒にゴミがまつわり付きにくく、軽く、早く、手軽に出来ることを特徴とする新規性に富んだエコ箒である。
【発明の効果】
【０００５】本発明は電機を使用せず、掃除機に比べ、硬さや重さも無く、埃も立たず、狭い所や、入り組んだ隅々まで清掃でき、老人・子供や忙しい人々にも簡便に使用出来、軽い、早い、手軽に、をモットーに作られた家庭用エコ箒である
【発明を実施するための最良の形態】
【０００６】以下、本発明の実施の形態を説明する
（イ）  ウレタン樹脂に有用ＥＭセラミックス配合で作られ、直径１．５〜２ｍｍ．の円筒形棒状の集合体を、箒の穂先として使用して作られたものである
（ロ）  昔からある箒の形態と同じであるが、ウレタンの軽さ、しなやかさ（強度は自在に作れる）の弾力度を４０〜５０度とし、根占めの部分（１）は、柄の先端の心棒（図３）とウレタンの上部をしっかりと熱圧力で固定し、極力軽く仕上げる、
（ハ）  厚みは、狭い隙間の掃除がし易く穂先が入り易いように２〜３ｃｍ位、幅は１８ｃｍ前後とする，長さは立って使用出来る様１２０ｃｍ程度する
（ニ）  ウレタン樹脂の素材にＥＭ有用セラミックスを配合して消臭性・抗菌性を高め、衛生的に作られた、
（ホ）  使用するウレタン樹脂は、ゴミを集める穂先の弾力が適度であり、細く揃った穂先は、埃を舞い上がらせる事も無く清掃する事が出来る
本発明は、以上の構成により成り立っている
本発明を使用する時、穂先の揃ったウレタン樹脂の部分は、同一で円筒形の細い集合体で、室内の清掃に、細かい埃まで掃き寄せられ、４０〜５０度の柔らかさの強度に仕上げた事で、掃き寄せ集まったゴミは、戻る状態の時も、穂先がすべすべして柔らかくゴミも付き難く、元の形に戻ろうとする為、埃が舞い上がらず、細かいゴミまで清掃出来る。
【図面の簡単な説明】
【０００７】
【図１】本発明の斜視図
【図２】本発明の側面図
【図３】本発明の柄に続く先端心棒（穂先との接着部）斜視図
【図４】本発明の          “                      側面図
【符号の説明】
【０００８】１  柄
２  ウレタン部分
３  根締め部分
４  掃き取り部分
５  柄の先端芯棒
６  吊り紐
【図１】
2009172339.tif 000003
【図２】
2009172339.tif 000004
【図３】
2009172339.tif 000005
【図４】
2009172339.tif 000006
(57)【要約】【課題】  従来のトイレは、便器と便座に、装着した状態において隙間があり、その隙間のせいで、便器及び便座ともに汚れが発生していた。【解決手段】  便座に、便器と便座のあいだの隙間を覆う形成物を設けることにより、汚れを抑えることができ、トイレを清潔に使用できる。【選択図】図１
2009172332.tif 000002
【特許請求の範囲】
【請求項１】
洋式の便器に装着する便座において、便器に装着した状態で生ずる便器と便座の隙間を覆うようにした形成物のある便座。
【請求項２】
洋式の便器に装着する従来の便座において、便器に装着した状態で生ずる便器と便座の隙間を、その便座に取り付けて隙間を覆うようにした形成物及びフィルム状のもの。
【発明の詳細な説明】
【技術分野】
【０００１】  本発明は、洋式便器に装着する便座に関するものである。
【背景技術】
【０００２】  便器と便座にある隙間のために、どうしてもそこに汚れができてしまっていた。従来は汚れの落ちやすい表面加工をしたものがあった。
【発明の開示】
【発明が解決しようとする課題】
【０００３】  便器と便座に隙間があるために、どうしてもそこに汚れができてしまっていた。
【課題を解決するための手段】
【０００４】  本発明は、上記課題を解決するために、便座を、便器と便座の隙間を覆うようにした形成物のある便座とした。【０００５】  また、従来の便座に便器と便座の隙間を覆うようにした形成物及びフィルム状のものを取り付ける。
【発明の効果】
【０００６】  上記手段を施した便座及び便器には、隙間を覆うようにしたため、そこにできやすかった汚れが、できにくくなっている。
【発明を実施するための最良の形態】
【０００７】  装着した状態において、便器と便座の隙間を覆うように、便座の内側の曲面に沿って下側に形成物がある便座とする。
【実施例１】
【０００８】  以下、本発明の実施例１を添付図面に基づいて説明する。【０００９】  便座の内側の曲線にそって、下側に、図１の１のような形成物がある便座。【００１０】  図１の１は、便座を便器に装着したときに、便座と便器の隙間を覆う役目をする。
【実施例２】
【００１１】  以下、本発明の実施例２を添付図面に基づいて説明する。【００１２】  図２の便座の内側の曲面に合うように形成した樹脂もしくはフィルム状のものに、便座との接着箇所３に両面接着テープで、従来の便座に取り付けると、図１の状態になり、課題が解決できる。【００１３】  また、便座との接着箇所３を、ゴムのような弾力のある樹脂にすると、より便座の曲面に密着できる。
【図面の簡単な説明】
【００１４】
【図１】  本発明の実施形態を示す便座の下側からの斜視図
【図２】  便座に取り付けて隙間を覆うための形成物の斜視図
【符号の説明】
【００１５】１  便器と便座の隙間を覆う形成物
２  便座下面
３  便座との接着箇所
【図１】
2009172332.tif 000003
【図２】
2009172332.tif 000004
(57)【要約】【課題】    靴着用時、気付かぬ間に脱げてしまった靴を足首に留めておく、靴の脱落防止具を提供する。【解決手段】    所定長さで長尺弾性のベルトの一端に抜け落ち防止棒を設け、中間部に鈴付きの着脱リングを躍動自在に装着し、他端部にクリップ保護布を設けた事を特徴とする、靴の脱落防止具。【選択図】図１
2009172338.tif 000002
【特許請求の範囲】
【請求項１】
所定長さで長尺弾性のベルトの一端に抜け落ち防止棒を設け、中間部に鈴付きの着脱リングを躍動自在に装着し、他端部にクリップ保護布を設けたことを特徴とする靴の脱落防止具。
【発明の詳細な説明】
【技術分野】
【０００１】  本発明は、靴を履いて歩行した際、靴の脱落を防止する、靴の脱落防止具に関するものである。
【背景技術】
【０００２】  従来、特に乳幼児期を中心に、靴を脱落し、紛失する事が多い。
【発明の開示】
【発明が解決しようとする課題】
【０００３】  靴を気付かぬ間に、脱落、紛失してしまう問題点を解決しようとするものである。
【課題を解決するための手段】
【０００４】  所定長さで長尺弾性のベルトの一端に抜け落ち防止棒を設け、中間部に鈴付きの着脱リングを躍動自在に装着し、他端部にクリップ保護布を設けたことを特徴とする靴の脱落防止具である。
【発明の効果】
【０００５】  靴の脱落による紛失を避け、脱げた靴が足首に留まり、靴の紛失を避ける事ができる。
【発明を実施するための最良の形態】
【０００６】以下、本発明の実施の形態を説明する。
（イ）ゴムベルト（１）
（ロ）ヒールストラップより、ゴムベルトが抜け落ちるのを防止する、抜け落ち防止棒（２）
（ハ）鈴（３）を、着脱リング（４）に取り付け、ゴムベルトより鈴（３）の着脱を可能にする。
（ニ）クリップ（６）が、直接肌に当たらないよう、保護布（５）を取り付ける。
本発明は、以上の構造よりなっている。
本発明を使用するときは、靴着用時、足首（８）にゴムベルト（１）を巻き、クリップ（６）にて使用者の足首サイズにあわせて固定する。
靴が脱落しそうな時、ゴムベルト（１）が脱げた靴を足首に留める。クリップが外れた場合、抜け落ち防止棒（２）がヒールストラップ（７）よりベルトが抜け落ちる事を防ぎ、棒形状により、ゴム状のベルト部をヒールストラップ（７）に着脱しやすくする。鈴（３）は、着脱リング（４）に取り付けてあるため、着脱可能になる。鈴音により、子供の場所を確認しやすく、万一靴の落下時にも気付きやすい。保護布（５）はクリップ（６）が直接肌に当たらないようにするものである。
【図面の簡単な説明】
【０００７】
【図１】本発明の背面からみた図
【図２】本発明の分解正面図
【図３】本発明の使用状態を示す斜視図
【符号の説明】
【０００８】  １  ゴムベルト
２  抜け落ち防止棒
３  鈴
４  着脱リング
５  保護布
６  クリップ
７  ヒールストラップ
８  足首
【図１】
2009172338.tif 000003
【図２】
2009172338.tif 000004
【図３】
2009172338.tif 000005